(57)【要約】【課題】張力止め効果を大きくでき、かつ組立性に優れた電線の張力止め構造および照明器具を提供する。【解決手段】ケース本体１３にカバー１４が取り付けられるケース１５と、ケース１５に設けられ外部１６に引き出される電線１０を張力止めする電線引出部１２と、を具備し、電線引出部１２は、ケース本体１３とカバー１４の組立で側面２５同士が平行に近接して対面する本体突片１７とカバー突片１８とを有し、本体突片１７にはカバー１４側が開口し電線１０を挿入する本体Ｕ溝が形成され、カバー１４にはケース本体１３側が開口し本体Ｕ溝と重なって電線１０を挿入するカバーＵ溝が形成され、本体Ｕ溝とカバーＵ溝の幅が電線１０の直径よりも小さく、かつ本体Ｕ溝とカバーＵ溝が重なって形成される電線挿通空間部の面積が、電線１０の断面積よりも小さくなされている。【選択図】図１
2012119071.tif 000002
【特許請求の範囲】
【請求項１】
ケース本体にカバーが取り付けられるケースと、
前記ケースに設けられ外部に引き出される電線を張力止めする電線引出部と、を具備し、
前記電線引出部は、前記ケース本体と前記カバーの組立で側面同士が平行に近接して対面する本体突片とカバー突片とを有し、前記本体突片にはカバー側が開口し電線を挿入する本体Ｕ溝が形成され、前記カバーにはケース本体側が開口し前記本体Ｕ溝と重なって前記電線を挿入するカバーＵ溝が形成され、
前記本体Ｕ溝と前記カバーＵ溝の幅が前記電線の直径よりも小さく、かつ前記本体Ｕ溝と前記カバーＵ溝が重なって形成される電線挿通空間部の面積が、前記電線の断面積よりも小さい電線の張力止め構造。
【請求項２】
請求項１に記載の電線の張力止め構造であって、
前記ケース本体に一枚の前記本体突片が突設され、
前記カバーに前記本体突片を挟む一対の前記カバー突片が平行に突設されている電線の張力止め構造。
【請求項３】
請求項１に記載の電線の張力止め構造であって、
前記カバー突片および前記本体突片が一枚以上設けられる電線の張力止め構造。
【請求項４】
請求項１ないし請求項３のうちのいずれか１項に記載の電線の張力止め構造を用いた照明器具であって、
前記ケース本体に照明用電源ユニットが取り付けられ、
前記照明用電源ユニットから導出される電線が、前記電線引出部によって張力止めされている照明器具。
【発明の詳細な説明】
【技術分野】
【０００１】
本発明は、照明器具に用いられるケースに電線の張力止め効果を持たせる電線の張力止め構造および照明器具に関する。
【背景技術】
【０００２】
照明器具は、内蔵された照明用電源ユニットからの電線を外部へ引き出すための電線引出部を備えている（特許文献１参照）。図７（Ａ）に示す電線引出部１００は、一対の離間するケース突起１０１を設けたケース本体１０２に電線１０３を配置する。ケース本体１０２に取り付けられるカバー１０４は、一対のケース突起１０１の間に進入するカバー突起１０５を備えている。この電線引出部１００では、カバー１０４をケース本体１０２に取り付けて互い違いに電線１０３をケース突起１０１とカバー突起１０５に押え付けることにより張力止めしている。また、図７（Ｂ）に示す電線引出部１０６は、ケース本体１０７に設けたケース突起１０８と、カバー１０９に設けたカバー突起１１０とによって略Ｓ状に曲がる電線導出路１１１を形成し、電線１０３を曲げながら嵌め込み、後にカバー１０９を取り付ける構成とすることで、電線１０３を屈曲させて張力止めしていた。
【先行技術文献】
【特許文献】
【０００３】
【特許文献１】特開平７−２１１１３０号公報（図２）
【発明の概要】
【発明が解決しようとする課題】
【０００４】
しかしながら、従来の電線引出部１００、電線引出部１０６は、電線１０３を引っ張ると、電線１０３の外周に隙間があるために、斜め方向（図７の矢印方向）に力がかかり、ずれ易い問題がある。また、電線１０３が外れたり、電線１０３の被覆を圧縮することにより、電線被覆が横に広がり電線１０３への押圧力が減ることで張力止め効果が弱くなったりすることもあった。これに加え、手で電線１０３に曲げグセをつけたり引き回したりする必要があったため組み立てにくい欠点もあった。
【０００５】
本発明は上記状況に鑑みてなされたもので、張力止め効果を大きくでき、かつ組立性に優れた電線の張力止め構造および照明器具を提供することにある。
【課題を解決するための手段】
【０００６】
本発明の電線の張力止め構造は、ケース本体にカバーが取り付けられるケースと、前記ケースに設けられ外部に引き出される電線を張力止めする電線引出部と、を具備し、前記電線引出部は、前記ケース本体と前記カバーの組み立てで側面同士が平行に近接して対面する本体突片とカバー突片とを有し、前記本体突片にはカバー側が開口し電線を挿入する本体Ｕ溝が形成され、前記カバーにはケース本体側が開口し前記本体Ｕ溝と重なって前記電線を挿入するカバーＵ溝が形成され、前記本体Ｕ溝と前記カバーＵ溝の幅が前記電線の直径よりも小さく、かつ前記本体Ｕ溝と前記カバーＵ溝が重なって形成される電線挿通空間部の面積が、前記電線の断面積よりも小さいものである。
【０００７】
また、本発明の電線の張力止め構造は、前記ケース本体に一枚の前記本体突片が突設され、前記カバーに前記本体突片を挟む一対の前記カバー突片が平行に突設されているものである。
【０００８】
また、本発明の電線の張力止め構造は、前記カバー突片および前記本体突片が一枚以上設けられるものである。
【０００９】
本発明の電線の張力止め構造を照明用電源ユニットに用いた照明器具は、前記ケース本体に照明用電源ユニットが取り付けられ、前記照明用電源ユニットから導出される電線が、前記電線引出部によって張力止めされているものである。
【発明の効果】
【００１０】
本発明に係る電線の張力止め構造は、電線を、本体Ｕ溝とカバーＵ溝で形成した電線挿通空間部で電線の被覆を段差付けするように挟み込むことにより、ずれにくい大きな張力止め効果を得ることができる。また、電線を挟む部分を本体Ｕ溝とカバーＵ溝とすることでカバーとケース本体を押さえる際に自動的に電線を押さえ込むことができ、組み立てを容易にすることができる。
【００１１】
本発明に係る電線の張力止め構造を照明用電源ユニットに用いた照明器具は、照明用電源ユニットと電線との接続部に、高い電気的な接続信頼性を得ることができる。
【図面の簡単な説明】
【００１２】
【図１】本発明に係る照明器具における電線引出部の要部拡大断面図
【図２】ケース本体に設けられる本体突片の斜視図
【図３】カバーに設けられるカバー突片の斜視図
【図４】本体突片とカバー突片が重ねられた電線引出部の斜視図
【図５】電線引出部の正面図
【図６】他の実施形態に係る張力止め構造の電線引出部の要部拡大断面図
【図７】（Ａ）は一対のケース突起の間に進入するカバー突起を備えた従来の張力止め構造の断面図、（Ｂ）はケース突起とカバー突起によって略Ｓ状に曲がる電線導出路を形成した従来の張力止め構造の断面図
【発明を実施するための形態】
【００１３】
以下、本発明の実施形態を図面を参照して説明する。
図１は本発明に係る電線の張力止め構造を用いた照明器具における電線引出部の要部拡大断面図である。
本実施形態に係る電線１０の張力止め構造は、照明器具１１に設けられる電線引出部１２に好適に用いることができる。照明器具１１は、ケース本体１３にカバー１４が取り付けられてなるケース１５と、ケース１５に設けられ外部１６に引き出される電線１０を張力止めする電線引出部１２と、を具備する。ケース本体１３には図示しない照明用電源ユニットが取り付けられ、照明用電源ユニットから導出される電線１０が、電線引出部１２によって張力止めされる。
【００１４】
図２はケース本体１３に設けられる本体突片１７の斜視図、図３はカバー１４に設けられるカバー突片１８の斜視図である。
電線引出部１２は、ケース本体１３とカバー１４を組み立てた状態で、側面同士が平行に近接して対面する本体突片１７とカバー突片１８とを有している。本体突片１７にはカバー１４側が開口し電線１０を挿入する本体Ｕ溝１９が形成される。カバー１４にはケース本体１３側が開口し本体Ｕ溝１９と重なって電線１０を挿入するカバーＵ溝２０が形成される。本体Ｕ溝１９とカバーＵ溝２０の幅は、電線１０の直径よりも若干小さく形成されている。
【００１５】
電線１０は、導体の外周に難燃性樹脂、軟質ポリ塩化ビニル樹脂等からなる被覆を成形している。本実施形態に用いられる電線１０は、断面形状が円形状の絶縁被覆電線となっている。被覆は所定の厚みを有して導体に被覆され、絶縁性の確保は元より、擦れや傷つき等の外的な要因に対して所定の強度を有して導体を保護している。
【００１６】
図４は本体突片１７とカバー突片１８が重ねられた電線引出部１２の斜視図、図５は電線引出部１２の正面図である。
ケース本体１３とカバー１４を組み立てた状態で、図４に示すように、本体Ｕ溝１９とカバーＵ溝２０が重なると、双方のＵ字形状が逆向きとなって重なることによって図５に示す電線挿通空間部２１が形成される。電線挿通空間部２１は、本体Ｕ溝１９とカバーＵ溝２０の溝底同士によって包囲されて形成され、電線１０の挿通方向から見た正面視では、真円をやや潰した形状となる。この電線挿通空間部２１は、面積が、電線１０の断面積よりも小さくなるように形成される。
【００１７】
上記のように、本体Ｕ溝１９とカバーＵ溝２０の幅は、電線１０の直径よりも若干小さく形成されているので、電線挿通空間部２１が形成された状態では、電線１０の被覆が双方の溝底２２から挟まれて、被覆が剪断方向に変形する。この変形に要する力は、ケース本体１３とカバー１４の組付け力によって得られる。ケース本体１３とカバー１４が図示しない係止手段によって係止されることで、電線１０は変形の生じたままの状態で保持される。この剪断方向の変形により、電線１０の被覆には図１に示す段差部２３が形成される。
【００１８】
段差部２３は、図１に示すように、本体Ｕ溝１９の溝底２２が被覆に食い込むことによって形成される凹状段差部２４と、カバーＵ溝２０からはみ出してカバー突片１８の側面２５に沿って膨出する凸状段差部２６との二種類が形成される。段差部２３は被覆のみの変形によって形成され、導体には所定以上の力が作用しないように形状の設定がなされている。この段差部２３と、本体突片１７およびカバー突片１８の側面２５とが当たることで、電線１０を引っ張った時の大きな張力止め効果が発生する。
【００１９】
より具体的には、電線１０が外部１６から図１の左方に引っ張られると、凸状段差部２６の左方がカバー突片１８の側面２５に当たるとともに、凹状段差部２４の右方が本体突片１７の側面２５に当たり、二箇所で張力止め効果が発生することになる。
【００２０】
本実施形態では、ケース本体１３に一枚の本体突片１７が突設され、カバー１４に本体突片１７を挟む一対のカバー突片１８が平行に突設されている。これにより、上記した二箇所で張力止め効果を発生させている。これに加え、カバー１４に一対のカバー突片１８が設けられることで、電線１０をカバー突片１８に保持し、カバー１４とケース１５を組み付ける際に、電線１０を、傾きや外れの生じないようにして挟み込むことができ、手で電線１０の曲げ癖を付けたり、引き回したりする必要がなく簡単な組み立てが可能となる。
なお、張力止め効果、組立作業性が若干低下しても構わなければ、図１に示す右方のカバー突片１８を省略する構成としてもよい。低下の理由は、右方のカバー突片１８が省略されると凹状段差部２４の形成量が少なくなるからである。
【００２１】
本実施形態では、ケース本体１３に一枚の本体突片１７が突設され、カバー１４に本体突片１７を挟む一対のカバー突片１８が突設される構成例を示したが、本発明に係る電線１０の張力止め構造は、これとは逆に、カバー１４に一枚のカバー突片１８が突設され、ケース本体１３にカバー突片１８を挟む一対の本体突片１７が突設されても勿論よい。
【００２２】
また、本体突片１７とカバー突片１８には、厚み方向の中央において、本体Ｕ溝１９とカバーＵ溝２０の内壁面に沿う図２に示す保持リブ２７を突設してもよい。保持リブ２７を設けることにより、本体Ｕ溝１９とカバーＵ溝２０に挿入された電線１０の被覆に局所的に保持リブ２７を食い込ませ、電線１０の保持性をさらに高めて作業性をより良好にすることができる。
【００２３】
次に、上記電線１０の張力止め構造の作用を説明する。
ケース本体１３にカバー１４が取り付けられ、ケース１５が組み立てられると、本体突片１７とカバー突片１８は、側面同士が平行に近接して対面する。本体突片１７とカバー突片１８は、近接して対面することで、本体Ｕ溝１９とカバーＵ溝２０が重なる。この際、カバー１４とケース本体１３を押さえると、自動的に電線１０が押さえ込まれて、組み立てが容易となる。
【００２４】
本体Ｕ溝１９とカバーＵ溝２０が重なると、双方の溝底２２が電線１０の被覆を変形させながら、電線挿通空間部２１が形成される。本体Ｕ溝１９とカバーＵ溝２０の幅は、電線１０の直径よりも少し小さめにしているので、本体Ｕ溝１９とカバーＵ溝２０で挟み込んだ際に、電線１０の圧縮による広がりを押さえ、小さな押圧力で被覆に対する食い込みが確実に形成される。被覆が剪断方向に変形することにより、電線１０に形成された段差部２３と、本体突片１７およびカバー突片１８の側面２５とが上記したように当たり、電線１０を引っ張った時の大きな張力止め効果が発生することになる。
【００２５】
そして、この電線１０の張力止め構造を用いた照明器具１１では、照明用電源ユニットから導出された電線１０が電線引出部１２で支持されて外部１６へ引き出されることで、外部１６で電線１０が引っ張られたときの張力が電線引出部１２で確実に受け止められる。これにより、照明用電源ユニットと電線１０との接続部に外力の作用することが防止され、電気的な接続信頼性が高められる。
【００２６】
次に、本発明に係る電線１０の張力止め構造の他の実施形態を説明する。
図６は他の実施形態に係る張力止め構造の電線引出部２８の要部拡大断面図である。なお、図１〜図５に示した部材と同一の部材には同一の符号を付し重複する説明は省略するものとする。
上記の実施形態では、ケース本体１３に一枚の本体突片１７が突設され、カバー１４に本体突片１７を挟む一対のカバー突片１８が突設される構成例を示したが、本発明に係る電線１０の張力止め構造は、カバー突片１８および本体突片１７が一枚以上設けられている。具体的には、図６に示すように、ケース本体２９に二枚の本体突片１７が突設され、カバー３０に本体突片１７を挟む三枚のカバー突片１８が突設されている。
【００２７】
このように、カバー突片１８および本体突片１７が一枚以上の多数となることで、電線１０を挟んでできる段差部２３の数が増え、より大きな張力止め効果が得られる。
【００２８】
従って、本実施形態に係る電線１０の張力止め構造は、電線１０を、本体Ｕ溝１９とカバーＵ溝２０で形成した電線挿通空間部２１で電線１０の被覆を段差付けするように挟み込むので、ずれにくい大きな張力止め効果を得ることができる。また、電線１０を挟む部分を本体Ｕ溝１９とカバーＵ溝２０とすることでカバー１４とケース本体１３を押さえる際に自動的に電線１０を押さえ込むことができ、組み立てを容易にすることができる。
【００２９】
そして、この電線１０の張力止め構造を照明用電源ユニットに用いた照明器具１１は、照明用電源ユニットと電線１０との接続部に、高い電気的な接続信頼性を得ることができる。
【符号の説明】
【００３０】
１０  電線
１１  照明器具
１２，２８  電線引出部
１３，２９  ケース本体
１４，３０  カバー
１５  ケース
１６  外部
１７  本体突片
１８  カバー突片
１９  本体Ｕ溝
２０  カバーＵ溝
２１  電線挿通空間部
【図１】
2012119071.tif 000003
【図２】
2012119071.tif 000004
【図３】
2012119071.tif 000005
【図４】
2012119071.tif 000006
【図５】
2012119071.tif 000007
【図６】
2012119071.tif 000008
【図７】
2012119071.tif 000009